(57)【要約】【課題】内容物が粉体からペースト状のものまでを収納し取り出すことが可能で、内容物を取り出した後は、ストローやマドラーなどの用途にもつかえる便利な包装容器を提供することを課題とする。【解決手段】包装容器であって、細長い円筒形の胴部を持ち、胴部はプラスチックを材料としており、両端部はプラスチック成型品からなる首部で密封されており、胴部は、両側から押圧して、内容物を押し出し可能な可撓性と、液体を攪拌可能な剛性を有し、両方の首部は、手指のつまみ部と開口のための脆弱部とを有していることを特徴とする包装容器である。【選択図】図１
2017210245.tif 000002
【特許請求の範囲】
【請求項１】
包装容器であって、
細長い円筒形の胴部を持ち、胴部はプラスチックを材料としており、両端部はプラスチック成型品からなる首部で密封されており、
胴部は、両側から押圧して、内容物を押し出し可能な可撓性と、液体を攪拌可能な剛性を有し、
両端部の首部は、手指のつまみ部と開口のための脆弱部とを有していることを特徴とする包装容器。
【請求項２】
前記胴部が、多角形または菊形の断面を有することを特徴とする請求項１に記載の包装容器。
【発明の詳細な説明】
【技術分野】
【０００１】
本発明は包装容器に関するものである。とくに包装容器として粉体やペースト状のものを収納できるほか、ストローとしても、攪拌用のマドラーにも使える多目的な包装容器に関するものである。
【背景技術】
【０００２】
包装容器は様々な用途にむけて、多種多様なものが開発され、実用に供されている。食品用途に限ってみても、内容物は固形のもの、液体、粉末、ペースト状など様々なものがあり、包装容器にも耐水性、保存性、耐熱性など様々な要求品質が求められる。
【０００３】
一方では、その用途が包装容器としてだけではなく、内容物を取り出したあとに別の用途に利用できるものも考案されている。
【０００４】
たとえば特許文献１には、棒状の包装容器が砂糖の包装容器として使われ、飲み物などに砂糖を添加して取り出した後は、その容器の両端部を開口させてストローとして使用する考案が示されている。
【０００５】
この考案においては、内容物は砂糖に限定されており、また取り出した後の用途もストローに限定されている。しかしながら、飲み物を飲む場合を考えてみても、コーヒーや紅茶、ココアやジュースなど様々な飲みものが存在するのであって、器のほかにスプーンやストローなどの器具も必要である。
【０００６】
したがって包装容器にも単に包装する機能だけにとどまらず、多目的に使える便利さを求める声が大きくなってきている。
【先行技術文献】
【特許文献】
【０００７】
【特許文献１】実開昭６２−１６８８５５号公報
【発明の概要】
【発明が解決しようとする課題】
【０００８】
本発明はかかる状況に鑑みてなされものであり、内容物が粉体からペースト状のものまでを収納し取り出すことが可能で、内容物を取り出した後は、ストローやマドラーなどの用途にもつかえる便利な包装容器を提供することを課題とする。
【課題を解決するための手段】
【０００９】
上記の課題を解決するための手段として、請求項１に記載の発明は、包装容器であって、
細長い円筒形の胴部を持ち、胴部はプラスチックを材料としており、両端部はプラスチック成型品からなる首部で密封されており、
胴部は、両側から押圧して、内容物を押し出し可能な可撓性と、液体を攪拌可能な剛性を有し、
両端部の首部は、手指のつまみ部と開口のための脆弱部とを有していることを特徴とする包装容器である。
【００１０】
また、請求項２に記載の発明は、前記胴部が、多角形または菊形の断面を有することを特徴とする請求項１に記載の包装容器である。
【発明の効果】
【００１１】
本発明によれば、内容物が粉体からペースト状のものまでを収納し取り出すことが可能で、内容物を取り出した後は、ストローやマドラーなどの用途にもつかえる便利な包装容器を提供することが可能である。
【００１２】
とくに請求項２に記載の発明によれば、内容物を搾り出すための可撓性に影響を与えることなく、包装容器の胴部に剛性を与えることが可能であり、内容物取り出し後に攪拌棒やストローとして使用が可能である。
【図面の簡単な説明】
【００１３】
【図１】図１は本発明に係る、包装容器の一実施態様を説明するための、外観模式図である。
【図２】図２は本発明に係る、包装容器の一実施態様を説明するための、図１を９０度回転させた外観模式図である。
【図３】図３は本発明に係る、包装容器の一実施態様を説明するための、端部を拡大した模式図である。
【図４】図４は、本発明に係る、包装容器の一実施態様を説明するための、胴部の断面形状の一例を説明するための模式図である。
【図５】図５は、本発明に係る、包装容器の一実施態様を説明するための、胴部の断面形状の他の一例を説明するための模式図である。
【発明を実施するための形態】
【００１４】
以下、本発明を図を参照しながら、更に詳しい説明を加える。ただし本発明は、ここに示す例にのみ限定されるものではない。本発明は、請求項によって限定されるものである。
【００１５】
図１は本発明に係る、包装容器の一実施態様を説明するための、外観模式図である。包装容器（１０）は、細長い胴部（１）を有し、胴部はプラスチックを材料としてなり、端部（２）は胴部（１）の両側端部に接続しており、胴部（１）の略円筒形の空間を両側から密封している。
【００１６】
端部（２）には、手指でつまむことが可能なつまみ部（４）を有する首部（３）があり、つまみ部（４）にひねるなどの力を加えて、脆弱部であるカッティングライン（５）を破壊して、開口させることができる。
【００１７】
このようにしてつまみ部（４）を利用して開口させることによって、内容物が飛び散ったり、手指に付着したりすることなく、内容物を容易に取り出すことができる。
【００１８】
胴部（１）に収納された内容物は、一方の端部（２）を開口させることによって取りだしが可能になる。とくに、粉末の状態の、たとえば砂糖、粉ミルク、抹茶などは、開口部から容易に取り出すことができる。
【００１９】
あるいは、たとえばグラスに入れたコーヒー飲料にミルクを添加しようとする場合などにおいては、一方の端部（２）を開口して後、開口部からコーヒー飲料に挿入し、もう一方の端部（６）を開口することによって、内容物をグラス内に容易に移行させることが可能になる。
【００２０】
内容物によっては、たとえば濃縮ココア飲料や濃縮ミルクなど、粘度のあるペースト状の内容物の場合には、胴部（１）を手指で押圧して搾り出すようにして押し出すことが可
能である。これは、包装容器（１０）の胴部（１）がプラスチック成型品であることにより、一定の可撓性を有するために可能となる。胴部（１）の形成には、特段の制限を設けるものではないが、たとえばブロー成型法などの方法を用いて形成することが可能である。
【００２１】
また包装容器（１０）の胴部（１）の径が、ある程度大きく適当である場合には、ゼリーのような半固形物や固形物も収納し、取り出すことができる。
【００２２】
さらに、一旦内容物を取り出した後、包装容器（１０）は、飲料などのマドラーとして利用することができ、便利である。また両側の、端部（２）および端部（６）が開口している場合には、ストローとしての利用も可能であって便利である。これは、包装容器（１０）がプラスチックを材料としていることによって、一定の剛性を有するために可能となる。
【００２３】
図２は本発明に係る、包装容器の一実施態様を説明するための、図１を９０度回転させた外観模式図である。ここで、端部（２）のつまみ部（４）は、首部（３）に連続して外側に突き出しており、手指で容易につまむことが可能である。
【００２４】
包装容器（１０）を開口させるには、つまんだ部分を首部（３）の円周に沿って回転させる方向に力を加え、脆弱部であるカッティングラインを（５）破壊して、開口させることが可能である。また、つまみ部（４）は首部（３）の外周側からの力を加えることができるため、てこの原理によってカッティングライン（５）の破壊がより容易である。
【００２５】
図３は本発明に係る、包装容器の一実施態様を説明するための、端部を拡大した模式図である。カッティングライン（５）は、手指による開口が可能な限りにおいて、その形状や作成の方法に特段の制限を設けるものではないが、たとえば首部（３）の円周方向にプラスチックの薄肉部分をもうけて脆弱化するか、あるいは破壊しやすいよう傷加工を施すなどの方法が可能である。
【００２６】
たとえば、ここに示す例のような形状でつまみ部（４）が設けてある場合には、つまみ部（４）を手指でつまんで首部（３）をねじり取ることが、きわめて容易にできるため好都合である。
【００２７】
図４は、本発明に係る、包装容器の一実施態様を説明するための、胴部の断面形状の一例を説明するための模式図である。本発明による包装容器は、その胴部の断面を多角形として、機械的強度を向上させることができる。
【００２８】
ここに示す例においては、胴部の断面形状は８角形であって、８角形が８本の稜線を有するために、内容物を搾り出すための可撓性を妨げることなく、胴部の剛性を強化することが可能である。胴部が一定の剛性を有することによって、内容物取り出し後の包装容器を、ストローやマドラーとして利用することが可能になる。
【００２９】
図５は、本発明に係る、包装容器の一実施態様を説明するための、胴部の断面形状の他の一例を説明するための模式図である。本発明による包装容器は、その胴部の断面に凹凸をつけて機械的強度を向上させることができる。
【００３０】
ここに示す例においては、胴部の断面形状は菊形であって、菊形が胴部表面に規則的な凹凸模様を有するために、内容物を搾り出すための可撓性を妨げることなく、胴部の剛性を強化することが可能である。胴部が一定の剛性を有することによって、内容物取り出し後の包装容器を、ストローやマドラーとして利用することが可能になる。
【００３１】
本発明による包装容器は、胴部がプラスチックを材料としてなり、両端部はプラスチックの成型品である。ここで用いることのできるプラスチック材料に関しては、特段の制限を設けるものではなく、内容物や用途、あるいは使用される温度などによって最適なものを選択することが望ましい。
【００３２】
このように本発明による包装容器によれば、内容物が粉体からペースト状のものまでを収納し取り出すことが可能で、内容物を取り出した後は、ストローやマドラーなどの用途にもつかえる便利な包装容器を提供することが可能である。
【符号の説明】
【００３３】
１・・・胴部
２・・・端部
３・・・首部
４・・・つまみ部
５・・・カッティングライン
６・・・もう一方の端部
１０・・・包装容器
【図１】
2017210245.tif 000003
【図２】
2017210245.tif 000004
【図３】
2017210245.tif 000005
【図４】
2017210245.tif 000006
【図５】
2017210245.tif 000007